(57)【要約】エーロゾルを低減するプリンタ、方法および装置が開示される。エーロゾルを低減する例示的な装置は、小滴（314-320）及びエーロゾル（322-326）を生成し、小滴（314-320）を印刷基体（104）の方へ向かわせるためのプリントヘッド（102）と、印刷基体（104）の方へエーロゾル（322-326）を向かわせるために第１の電気極性を有する第１のイオン（340、344）を生成するための第１のコロナワイヤ（108）と、印刷基体（104）の方へエーロゾル（322-326）を向かわせるために第２のイオン（340、344）を生成するための第２のコロナワイヤ（110）とを含み、第２のイオン（340、344）が、第１の電気極性とは反対の第２の電気極性を有する。【選択図】図１【特許請求の範囲】
【請求項１】
エーロゾルを低減するための装置であって、
小滴（314-320）及びエーロゾル（322-326）を生成し、前記小滴（314-320）を印刷基体（104）の方へ向かわせるためのプリントヘッド（102）と、
前記印刷基体（104）の方へ前記エーロゾル（322-326）を向かわせるために第１の電気極性を有する第１のイオン（340、344）を生成するための第１のコロナワイヤ（108）と、
前記印刷基体（104）の方へ前記エーロゾル（322-326）を向かわせるために第２のイオン（340、344）を生成するための第２のコロナワイヤ（110）とを含み、前記第２のイオン（340、344）が、前記第１の電気極性とは反対の第２の電気極性を有する、装置。
【請求項２】
前記プリントヘッド（102）又は前記印刷基体（104）の少なくとも一方が、移動の第１の方向（224）に関連付けられ、前記第１のコロナワイヤ（108）が、前記移動の第１の方向（224）において前記プリントヘッド（102）の前方に位置する、請求項１に記載の装置。
【請求項３】
前記第２のコロナワイヤ（110）が、前記移動の第１の方向（224）において前記プリントヘッド（102）の背後に位置する、請求項２に記載の装置。
【請求項４】
前記第２のコロナワイヤ（110）が、前記第１のコロナワイヤ（108）と前記プリントヘッド（102）との間に位置する、請求項２に記載の装置。
【請求項５】
前記プリントヘッド（102）又は前記印刷基体（104）の少なくとも一方が、移動の第２の方向（226）に関連付けられ、前記第１のコロナワイヤ（108）が、前記移動の第２の方向（226）において前記プリントヘッド（102）の背後に位置する、請求項１に記載の装置。
【請求項６】
前記第１のイオン（340、344）が前記印刷基体（104）上に電荷（608）を生成し、前記第２のイオン（340、344）が前記印刷基体（104）上の前記電荷（608）を低減する、請求項１に記載の装置。
【請求項７】
前記エーロゾル（322-326）の少なくとも一部を収集し、印刷基体の移動経路（216）に隣接して配置された収集プレート（604、606）を更に含む、請求項１に記載の装置。
【請求項８】
前記印刷基体（104）において向かわされた前記エーロゾル（322-326）が、本質的な印刷品質に実質的に影響を与えない、請求項１に記載の装置。
【請求項９】
前記第２のコロナワイヤ（110）に隣接し、前記第１又は第２の電気極性の一方を有する第３のイオン（920、922、1124、1128）を生成するための第３のコロナワイヤ（904、910、1104、1110）、及び前記第１のコロナワイヤ（108）に隣接し、前記第１又は第２の電気極性の他方を有する第４のイオン（920、922、1124、1128）を生成するための第４のコロナワイヤ（904、910、1104、1110）を更に含む、請求項１に記載の装置。
【請求項１０】
エーロゾルを低減するための装置であって、
小滴（314-320）及びエーロゾル（322-326）を生成し、前記小滴（314-320）を印刷基体（104）の方へ向かわせるためのプリントヘッド（102）と、
前記印刷基体（104）の方へ前記エーロゾル（322-326）を向かわせるために第１のイオン（340、344）を生成するための、前記プリントヘッド（102）の第１の側にある第１のコロナワイヤ（108）と、
前記印刷基体（104）の方へ前記エーロゾル（322-326）を向かわせるために第２のイオン（340、344）を生成するための、前記プリントヘッド（102）の前記第１の側とは反対の第２の側にある第２のコロナワイヤ（110）とを含む、装置。
【請求項１１】
前記エーロゾル（322-326）を収集し、印刷基体の移動経路（216）に隣接して配置された収集プレート（604、606）を更に含む、請求項１０に記載の装置。
【請求項１２】
前記第１のコロナワイヤ（108）が直流に基づいて前記第１のイオン（340、344）を生成し、前記第２のコロナワイヤ（110）が交流に基づいて前記第２のイオン（340、344）を生成する、請求項１０に記載の装置。
【請求項１３】
エーロゾルを低減するための方法であって、
プリントヘッド（102）の第１の側に第１のコロナワイヤ（108）を取り付け、
前記プリントヘッド（102）の第２の側に第２のコロナワイヤ（110）を取り付けることを含む、方法。
【請求項１４】
前記第１のコロナワイヤ（108）が、イオン（340、344）の第１の壁を生成することができ、前記第２のコロナワイヤ（110）が、イオン（340、344）の第２の壁を生成することができ、前記第１及び第２の壁が、前記プリントヘッド（102）により生成されたエーロゾル（322-326）を捕捉するために協働することができる、請求項１３に記載の方法。
【請求項１５】
前記イオン（340、344）の第１の壁が、第１の極性を有し、前記イオン（340、344）の第２の壁が第２の極性を有し、前記第１及び第２の壁が、印刷基体（104）及びプラテン（342）の少なくとも一方に蓄積される電荷（608）を解放するために協働することができる、請求項１４に記載の方法。
【発明の詳細な説明】
【技術分野】
【０００１】
本発明は概して、プリンタに関し、より具体的にはエーロゾルを低減するプリンタ、方法、及び装置に関する。
【０００２】
背景
インクジェットプリンタ及び液体電子写真プリンタは、印刷基体の方へ液体インク又は固体インクの小滴を向かわせることにより動作する。走査型プリンタにおいて、印刷基体の方へ小滴を向かわせるプリントヘッド及び／又は印刷基体自体は、印刷基体の異なる領域にインクを付着するために異なる方向に走査される。
【図面の簡単な説明】
【０００３】
【図１】本明細書の教示による、例示的な走査型インクジェットプリンタのブロック図である。
【図２】本明細書の教示による、プリントヘッド及びインクエーロゾル低減装置を含む例示的なインクジェットキャリッジの斜視図である。
【図３】本明細書の教示による、プリントヘッド及びインクエーロゾル低減装置を含む例示的なインクジェットプリンタの略図である。
【図４】図３の例示的なコロナワイヤに印加される例示的な電流のグラフである。
【図５】例示的なインクジェット小滴およびインクエーロゾル小滴に関する重力対抗力の比および静電力対抗力の比のグラフである。
【図６Ａ】インクジェットキャリッジが印刷基体を横切って走査する際の例示的なインクジェットキャリッジの略図である。
【図６Ｂ】インクジェットキャリッジが印刷基体を横切って走査する際の例示的なインクジェットキャリッジの略図である。
【図６Ｃ】インクジェットキャリッジが印刷基体を横切って走査する際の例示的なインクジェットキャリッジの略図である。
【図７】図３の例示的なインクエーロゾル低減装置と既知のインクエーロゾル管理システムとの間の結果の比較を示す図である。
【図８】本明細書の教示による、インクエーロゾル低減装置を含む別の例示的なインクジェットプリンタの略図である。
【図９】本明細書の教示による、インクエーロゾル低減装置を含む更に別の例示的なインクジェットプリンタの略図である。
【図１０Ａ】本明細書の教示による、インクエーロゾル低減装置を含む別の例示的なインクジェットプリンタの略図である。
【図１０Ｂ】本明細書の教示による、インクエーロゾル低減装置を含む別の例示的なインクジェットプリンタの略図である。
【図１１】本明細書の教示による、インクエーロゾル低減装置を含む別の例示的なインクジェットプリンタの略図である。
【図１２】図１、図３、図６Ａ〜図６Ｃ、図８、図９、図１０Ａ、図１０Ｂ又は図１１の例示的なコロナワイヤを実現するために使用され得る例示的なコロナバーを示す図である。
【図１３】図１２の例示的なコロナバーの例示的な破断図である。
【０００４】
可能であれば、同じ又は同様の部品を参照するために、図面（単数または複数）及び付随する明細書の全体にわたって同じ参照番号が使用される。
【０００５】
詳細な説明
図１は、例示的な走査型インクジェットプリンタ１００のブロック図である。例示的なプリンタ１００は、印刷基体１０４にインクを付着する１つ又は複数のプリントヘッド１０２を含む。プリントヘッド１０２は、硬質画像を形成するために媒体、印刷基体１０４に１つ又は複数の液体マーキング剤を提供する。幾つかの例において、液体マーキング剤は、１つ又は複数の色のインクを含むことができる。プリンタ１００及び／又はプリントヘッド１０２の構成に依存して、水性インク、ソルベント（溶剤）インク、又は油性インクのような様々なタイプのインクが使用され得る。更に、液体マーキング剤は、印刷基体１０４にインクを結合する及び／又は印刷基体１０４へのインクの浸透を低減することを援助するために、ポリマーのような定着剤または結合剤を含むことができる。本明細書で使用される限り、用語「インク」は、上記のタイプの液体マーキング剤および／またはインクジェットされ得る任意の他のマーキング剤の何れかを意味する。
【０００６】
プリントヘッド１０２がインクを印刷基体１０４に付着する場合、プリントヘッド１０２は、所望のサイズを有するインク滴を生成し、副作用として、より小さいインク粒子を生成する。また、より小さいインク粒子は、本明細書においてインクエーロゾル粒子とも呼ばれ、印刷基体１０４に到達することができない。代わりに、インクエーロゾル粒子の少なくとも一部は、プリントヘッド１０２と印刷基体１０４との間の空気層中に漂ったままである。空気層から、インクエーロゾル粒子は、他のプリントヘッド１０２のようなプリンタ１００の他の部品へ移動する可能性がある、及び／又はプリンタ１００の外部に移動する可能性がある。例えば、図１の例示的な走査型インクジェットプリンタ１００において、プリントヘッド１０２及び／又は印刷基体１０４は、印刷プロセス中に急速に移動することができ、それによりプリンタ１００内でインクエーロゾル粒子を移動させることができる及び／又はエーロゾル粒子をプリンタ１００から出させることができる空気流を生じる。
【０００７】
インクエーロゾル粒子は、様々な問題を生じる可能性がある。例えば、インクエーロゾル粒子が塗着する場合、それらは集合してプリンタ１００の部品上に堆積物を形成する可能性がある。これらインクの堆積物がプリントヘッド（単数または複数）１０２上に生じる場合、プリンタ１００の印刷品質は、適切なサイズのインク滴の生成がインク堆積物により妨げられる可能性があるので、損害を受ける可能性がある。インク堆積物を低減するために、ひいては印刷品質を向上させるために、図１の例示的なプリンタ１００は、第１及び第２のコロナワイヤ１０８、１１０を含むインクエーロゾル低減装置１０６を含む。第１のコロナワイヤ１０８は、プリントヘッド（単数または複数）１０２の第１の側に位置し、第２のコロナワイヤ１１０はプリントヘッド（単数または複数）の第２の側に位置する。以下で説明されるように、インクエーロゾル低減装置１０６は、プリンタ１００内に存在するインクエーロゾルの量を低減する。図１に示されるように、第１及び第２のコロナワイヤ１０８、１１０は、インクエーロゾル粒子を閉じ込めるためにプリントヘッド（単数または複数）１０２の両側に位置して、インク堆積物を低減および／または防止することができる。
【０００８】
図２は、プリントヘッド２０２、２０４、２０６及びインクエーロゾル低減装置１０６を含む例示的なインクジェットキャリッジ２００の斜視図である。例示的なプリントヘッド２０２、２０４、２０６はそれぞれ、複数のインクノズル２１０、２１２、２１４を含む。更に、例示的なプリントヘッド２０２、２０４、２０６のそれぞれは、異なるインク（例えば、異なる色のインク）を印刷基体に付着する。印刷基体が印刷基体の移動経路軸２１６に沿った方向にプリントヘッド２０２、２０４、２０６を通り過ぎて進む場合、例示的なインクジェットキャリッジ２００が走査方向に走査軸２１８に沿ってプリントヘッド２０２、２０４、２０６を移動させる。例示された例のインクジェットキャリッジ２００は、走査軸２１８に沿って行きつ戻りつする方向２２４、２２６にプリントヘッド２０２、２０４、２０６を移動させる。より具体的には、第１の印刷動作（例えば、ドットの行を印刷）の場合、キャリッジ２００は第１の方向２２４に移動する。第１の印刷動作に後続する第２の印刷動作（例えば、ドットの第２行を印刷）の場合、キャリッジ２００は第１の方向２２４と逆の第２の方向２２６に移動する。幾つかの他の例示的なプリンタにおいて、プラテンは、インクジェットキャリッジ２００が静止している場合に走査軸２１８に沿って印刷基体を移動させる。
【０００９】
図２の例示的なインクエーロゾル低減装置１０６は、２本のコロナワイヤ２２０及び２２２を含む。例示的なコロナワイヤ２２０は正のコロナワイヤ（例えば、正イオンを生成する）であり、コロナワイヤ２２２は負のコロナワイヤ（例えば、負イオンを生成する）である。例示された例において、コロナワイヤ２２０及び２２２は、キャリッジ２００の両側にプリントヘッド２０２、２０４、２０６に隣接して配置される。例示的なコロナワイヤ２２０は、第１の側（例えば、第１の方向２２４において）にプリントヘッド２０２、２０４、２０６に装着される、固定される、及び／又は取り付けられることができ、例示的なコロナワイヤ２２２は、第２の側（例えば、第２の方向２２６において）にプリントヘッド２０２、２０４、２０６に装着される、固定される、及び／又は取り付けられ得る。幾つかの例において、コロナワイヤ２２０、２２２は、プリントヘッド２０２、２０４、２０６上に後付けされ得る。プリントヘッド２０２、２０４、２０６が第１の方向２２４に移動する場合、コロナワイヤ２２０が移動の方向に対してプリントヘッド２０２、２０４、２０６の前方に配置され、コロナワイヤ２２２が（やはり移動の方向に対して）プリントヘッド２０２、２０４、２０６の背後にある。逆に、プリントヘッド２０２、２０４、２０６が第２の方向２２６に移動する場合、コロナワイヤ２２２が移動の方向に対してプリントヘッド２０２、２０４、２０６の前方に配置され、コロナワイヤ２２０が（やはり移動の方向に対して）プリントヘッド２０２、２０４、２０６の背後にある。
【００１０】
図３は、プリントヘッド３０２、３０４、３０６、３０８及びインクエーロゾル低減装置１０６を含む例示的なインクジェットプリンタ３００の略図である。プリントヘッド３０２〜３０８は、印刷基体３１２に隣接して位置する。プリントヘッド３０２〜３０８は、印刷基体３１２にインク滴３１４、３１６、３１８、３２０を付着して画像を形成する。インク滴３１４〜３２０の生成の副作用として、プリントヘッド３０２〜３０８は、例示的なインクエーロゾル粒子３２２、３２４、３２６により図３に示されたインクエーロゾルも生成する。インクエーロゾル粒子３２２〜３２６は、所望のインク滴３１４〜３２０よりも大幅に小さい。
【００１１】
図４は、図３の例示的なインク滴３１４〜３２０及び例示的なインクエーロゾル粒子３２２〜３２６に関する重力対抗力の比４０２及び静電力対抗力の比４０４のグラフ４００である。典型的なインク滴サイズの範囲４０６は、図４にクロスハッチングで示される。図４に示されるように、典型的な小滴サイズの範囲は、約４ピコリットル（ｐＬ）から約３０ｐＬに及ぶ。典型的なインクエーロゾル粒子のサイズの範囲４０８は、図４にドットで示される。図４に示されるように、典型的なエーロゾル粒子のサイズの範囲は、約０．０１ピコリットル（ｐＬ）から約０．３ｐＬに及ぶ。図４に示されるように、重力の比４０２及び静電力の比４０４は、インク滴サイズの範囲４０６に比べてインクエーロゾル粒子サイズの範囲４０８の方が低い。力の比４０２及び４０４は、インクエーロゾル粒子のサイズに起因して低い。従って、空気は、インクエーロゾル粒子３２２〜３２６の運動に比較的大きな影響（例えば、抗力を介して）をもたらす。この結果、インクエーロゾル粒子３２２〜３２６は、それらがプリントヘッド３０２〜３０８により向かわされる方へと印刷基体３１２に塗着する代わりに、空中にとどまる傾向がある。空中にいる間、インクエーロゾル粒子３２２〜３２６は、プリンタの他の部品に保持されて固まる可能性がある。
【００１２】
図３に戻ると、例示的なインクエーロゾル粒子３２２、３２４、３２６が、制御されない場合、インクジェットプリンタ３００上で、プリントヘッド３０２〜３０８上で、及び／又は例示的な図１のインクジェットプリンタ１００の他の部品上で集まる又は合体する可能性がある。インクの蓄積がプリントヘッド３０２〜３０８上で生じる場合、そのインク蓄積が新たなインク滴３１４〜３２０の生成を妨げる可能性があるので、印刷品質が大幅に低下する可能性がある。
【００１３】
多数の浮遊するインクエーロゾル粒子３２２〜３２６、ひいてはインクの蓄積を低減するために、例示的なインクジェットプリンタ３００は、インクエーロゾル低減装置１０６を含む。図３の例示的なインクエーロゾル低減装置１０６は、例示的なプリントヘッド３０２〜３０８の異なった側に装着された正のコロナワイヤ３３２及び負のコロナワイヤ３３４を含む。図３に示された正のコロナワイヤ３３２及び負のコロナワイヤ３３４の位置は、入れ替えられ得る。コロナワイヤ３３２及び３３４は、個々のカバー３３６及び３３８により実質的に包囲されているが、印刷基体３１２の方向において露出されている。例示的な正のコロナワイヤ３３２は、印刷基体３１２、及び印刷基体３１２の下の導電性プラテン３４２の方へ流れる正イオン（図３において「＋」符号３４０により概略的に示される）を放出する。正イオン３４０は、インクエーロゾル粒子３２２〜３２６がプリンタ３００の他の部品へ移動することができない壁として働く。同様に、例示的な負のコロナワイヤ３３４は、印刷基体３１２、及び導電性プラテン３４２の方へ流れる負イオン（図３において「−」符号３４４により概略的に示される）を放出する。負イオン３４４は、インクエーロゾル粒子３２２〜３２６がプリンタ３００の他の部品へ移動することができない第２の壁として働く。
【００１４】
正イオン３４０及び負イオン３４４が個々のコロナワイヤ３３２及び３３４から放出される場合、イオンは印刷基体３１２及びプラテン３４２の方へ流れ、それによりコロナワイヤ３３２及び３３４から印刷基体３１２への空気の流れを生じる。印刷基体３１２が移動する際および／またはインクジェットプリンタ３００が印刷基体３１２に沿ってコロナワイヤ３３２及び３３４を移動させる際、インクエーロゾル粒子３２２〜３２６は、イオン３４０及び３４４により印刷基体３１２の方へ押しやられる。言い換えれば、正イオン３４０及び負イオン３４４の個々の壁は、プリントヘッド３０２〜３０８により生成されるインクエーロゾル粒子３２２〜３２６を（例えば、インクエーロゾル粒子３２２〜３２６を印刷基体３１２に強制的に塗着させることにより）捕捉するために協働する。この結果、インクエーロゾル粒子３２２〜３２６が印刷基体３１２上に到達して付着する。インクエーロゾル粒子３２２〜３２６は、粒子３２２〜３２６の小さいサイズに起因して本質的な印刷品質に悪影響を及ぼさない。更に、正イオン３４０及び負イオン３４４の壁の異なる極性は、印刷基体３１２上に及び／又はプラテン３４２上に蓄積する電荷を解放するように作用する。
【００１５】
印刷基体は、導電性、半導電性、及び／又は非導電性材料および／またはコーティングで入手可能である。プラテン３４２は代案として、非導電性、導電性、及び／又は半導電性プラテンとすることができる。印刷基体３１２及びプラテン３４２が導電性であり互いに接触する場合、印刷基体３１２に接触する電荷は消散する、及び／又はプラテン３４２が接地されている場合には接地接続へ放電され得る。対照的に、印刷基体３１２が非導電性または半導電性である場合、持続した電荷は、印刷基体３１２が帯電したイオン３４０、３４４を（例えば、プラテン３４２を介して）放電することができないので、正イオン３４０及び／又は負イオン３４４を介して印刷基体３１２上に蓄積する可能性がある。上述したように、非導電性または半導電性の印刷基体に付着される比較的大量の電荷は、印刷品質に悪影響を及ぼす可能性がある。
【００１６】
（２本の正のコロナワイヤ又は２本の負のコロナワイヤとは対照的に）正のコロナワイヤ３３２及び負のコロナワイヤ３３４を含むことにより、例示的なインクジェットプリンタ３００は、印刷品質に悪影響を与える可能性がある非導電性または半導電性の印刷基体上に、持続した電荷を蓄積することを回避する。例えば、非導電性または半導電性の印刷基体が十分に帯電される場合、帯電した印刷基体は、インク滴の意図された塗着位置からのインク滴の偏向を生じる可能性がある。係るインク滴の偏向は、画像のぼやけ及び／又は色ずれという結果になる可能性がある。例示的なインクジェットプリンタ３００は、印刷基体３１２がさらされる電荷の極性を交番させることにより印刷基体３１２を帯電させることを低減または回避する。例えば、インクジェットプリンタ３００が印刷基体３１２を横切って第１の方向３４６に移動する場合、移動の第１の方向３４６においてプリントヘッド３０２〜３０８の前方にある負のコロナワイヤ３３４が、負イオン３４４を介して負の電荷を印刷基体３１２に印加する。移動の第１の方向３４６においてプリントヘッド３０２〜３０８の背後にある正のコロナワイヤ３３２が、印刷基体３１２上の負の電荷を低減する、相殺する、及び／又は圧倒する正の電荷を印刷基体３１２に印加する。逆に、インクジェットプリンタ３００が印刷基体３１２を横切って移動の第２の方向３４８に移動する場合、正のコロナワイヤ３３２が印刷基体３１２に正の電荷を印加し、その後すぐに負のコロナワイヤが正の電荷を低減する、相殺する、及び／又は圧倒する。例示的なインクジェットプリンタ３００の移動、及び印刷基体３１２の対応する帯電は、図６Ａ〜図６Ｃに関連してより詳細に後述される。
【００１７】
図５は、図３の例示的なコロナワイヤ３３２及び３３４に印加される例示的な電流５０２及び５０４のグラフである。例示的な電流５０２及び５０４は、例示的なインクジェットプリンタ３００が例示的な方向３４６と３４８との間で周期変動する際に印加され得る。図５の例図において、例示的な電流５０２及び５０４が、例えば実質的に等しい時間期間５０６、５０８、５１０、５１２、５１４、５１６に分割される。時間期間５０６、５１０、及び５１４の間、例示的なインクジェットプリンタ３００は第１の方向３４６に移動している（例えば、左側の開始位置から考えると、正のコロナワイヤ３３２が印刷基体３１２に隣接する前に負のコロナワイヤ３３４が印刷基体３１２に隣接して移動し、正のコロナワイヤ３３２が印刷基体３１２の境界から出る前に負のコロナワイヤ３３４が、印刷基体３１２の境界から出る）。時間期間５０８、５１２及び５１６の間、例示的なインクジェットプリンタ３００は第２の方向に移動している（例えば、右側の開始位置から考えると、負のコロナワイヤ３３４が印刷基体３１２に隣接する前に正のコロナワイヤ３３２が印刷基体３１２に隣接して移動し、負のコロナワイヤ３３４が印刷基体３１２の境界から出る前に正のコロナワイヤ３３２が、印刷基体３１２の境界から出る）。
【００１８】
個々のコロナワイヤ３３２及び３３４を流れる電流５０２及び５０４は、生成される正および／または負のイオンの量を表す。イオンを生成するために、個々の正および負の電気エネルギー源（図示せず）が、例示的なコロナワイヤ３３２及び３３４に正および負の電圧を印加する。多数のイオン３４０及び３４４が、コロナワイヤ３３２及び３３４を流れる電流５０２及び５０４に比例して生成される。
【００１９】
正および負の双方のイオンは、インクエーロゾル粒子を印刷基体３１２の方へ押しやる。図５に示されたように、時間期間５０６、５１０、及び５１４の開始点において、負のコロナワイヤ３３４を流れる電流により、負のコロナワイヤ３３４が、インクエーロゾル粒子３２２〜３２６を印刷基体３１２の方へ押しやる負イオン３４４を生成する。電流５０４は、負のコロナワイヤ３３４が印刷基体３１２の上を進むにつれて増大し、負のコロナワイヤ３３４が印刷基体３１２の境界に近づいて到達する際に減少する。負のコロナワイヤ３３４が負イオン３４４の生成を停止する（例えば、印刷基体３１２及び／又はプラテン３４２の境界に到達する）前に、電流５０２は、正のコロナワイヤ３３２が印刷基体３１２の上を進む際に増大し、正のコロナワイヤ３３２が正イオン３４０の生成を開始する。
【００２０】
時間期間５０８、５１２及び５１６の開始点において、電流５０２により、正のコロナワイヤ３３２が正イオン３４０を生成し、その正イオン３４０は負イオンと同様に、インクエーロゾル粒子３２２〜３２６を印刷基体３１２の方へ押しやる。電流５０２は、正のコロナワイヤ３３２が印刷基体３１２の上を進むにつれて増大し、正のコロナワイヤ３３２が印刷基体３１２の境界に近づいて到達する際に減少する。正のコロナワイヤ３３２が正イオン３４０の生成を停止する（例えば、印刷基体３１２及び／又はプラテン３４２の境界に到達する）前に、電流５０４は、負のコロナワイヤ３３４が印刷基体３１２の上を進む際に増大し、負のコロナワイヤ３３４が負イオン３４４を生成する。正および負のイオンがインクエーロゾル粒子に同じ影響を及ぼす間、正および負のイオンを交互に使用することは、基体３１２及び／又はプラテン３４２により保持／蓄積された、持続した極性の電荷の量を低減する。
【００２１】
図６Ａ〜図６Ｃは、インクジェットプリンタ６００が印刷基体３１２を横切って移動する際の例示的なインクジェットプリンタ６００の略図である。例示的なインクジェットプリンタ６００は図３の例示的なインクジェットプリンタ３００に類似し、例示的なプリントヘッド３０２〜３０８、正および負のコロナ３４２及び３４４を含む例示的なインクエーロゾル低減装置３１０、及びプラテン３４２を含む。しかしながら、インクジェットプリンタ６００は更に、プラテン３４２に隣接した移動制限収集プレート６０４及び６０６を含む。例示的な収集プレート６０４及び６０６は、印刷基体３１２の移動経路の外側に位置し、かくしてプリントヘッド３０２〜３０８は一般に、収集プレート６０４及び６０６に隣接する際にインク滴を生成しない。
【００２２】
図６Ａは、第１の位置６０２にある例示的なインクジェットプリンタ６００を示す。
第１の位置６０２において、プリントヘッド３０２〜３０８は、移動制限収集プレート６０４に隣接しており、インク滴を生成しない。しかしながら、印刷基体３１２に隣接する位置（即ち、図６Ａの中央に接近している位置）から第１の位置６０２へ以前に移動したインクジェットプリンタ３００により生じた空気抵抗に起因して、インクエーロゾル粒子３２２〜３２６が存在する可能性がある。更に、正のコロナワイヤ３３２が、移動制限収集プレート６０４に隣接する。正のコロナワイヤ３３２は、例えば収集プレート６０４が導電性である場合に、正イオン３４０を生成することができる。係る正イオン３４０はインクエーロゾル粒子３２２〜３２６を収集プレート６０４の方へ付勢する。一方、収集プレート６０４が非導電性である場合、正のコロナワイヤ３３２はイオン３４０を生成しない。負のコロナワイヤ３３４が印刷基体３１２及びプラテン３４２に隣接し、かくして負イオン３４４を生成する。負イオン３４４は、インクエーロゾル粒子３２２〜３２６を印刷基体３１２の方へ付勢する。また、負イオン３４４は、印刷基体３１２に負の電荷６０８も印加する。
【００２３】
図６Ｂは、第２の位置６１０にある例示的なインクジェットプリンタ６００を示す。第２の位置６１０において、プリントヘッド３０２〜３０８及びコロナワイヤ３３２及び３３４は、印刷基体３１２及びプラテン３４２に隣接している。インクジェットプリンタ６００が第１の位置６０２から第２の位置６１０に移動する際、負のコロナワイヤ３３４が印刷基体３１２の方へ負イオン３４４を生成する。負イオン３４４は、インクエーロゾル３２２、３２４及び３２６を印刷基体３１２の方へ付勢し、印刷基体３１２上に負の電荷６０８を生じさせる。正のコロナワイヤ３３２は、負の電荷６０８を有する印刷基体３１２の方へ正イオン３４２を向かわせる。例示的な正イオン３４２が負の電荷６０８を相殺し、且つインクエーロゾル３２２、３２４及び３２６を印刷基体３１２の方へ付勢する。
【００２４】
図６Ｃは、第３の位置６１２にある例示的なインクジェットプリンタ６００を示す。第３の位置６１２において、プリントヘッド３０４〜３０８及び負のコロナワイヤ３３４が移動制限収集プレート６０６に隣接している。プリントヘッド３０２及び正のコロナワイヤ３３２は印刷基体３１２及びプラテン３４２に隣接している。従って、プリントヘッド３０２は、基体３１２に印刷されるべき所望の画像に基づいてインク滴３１４を生成する。負のコロナワイヤ３３４は、収集プレート６０６が導電性である場合、負イオン３４４を生成することができる。係る負イオン３４４は、インクエーロゾル粒子３２２〜３２６を収集プレート６０６の方へ付勢する。他の例において、収集プレート６０６が非導電性である場合、コロナワイヤ３３４は、プレート６０６上に位置する際にイオン３４４を生成しない。図６Ｂに関連して上述されたように、正のコロナワイヤ３３２が印刷基体３１２を横切って移動する際、正のコロナワイヤ３３２が正イオン３４０を生成し、その正イオン３４０は、インクエーロゾル粒子３２２〜３２６を印刷基体３１２の方へ付勢し、印刷基体３１２上の例示的な負の電荷６０８を相殺する。
【００２５】
共に、コロナワイヤ３３２、３３４により生成された正イオン３４０及び負イオン３４４は、インクエーロゾル粒子３２２〜３２６が無限に空気層中に浮遊して最終的にプリンタ３００を汚染すること、及び／又はプリントヘッド３０２〜３０８に妨害を与えることにより印刷品質を下げることを低減または防止するするための閉じ込め障壁を形成する。インクジェットプリンタ３００が印刷基体３１２を横切って移動する際および／または印刷基体３１２が印刷プロセス中に移動する際、正イオン３４０及び負イオン３４４はインクエーロゾル粒子３２２〜３２６を印刷基体３１２の方へ付勢する。インクエーロゾル粒子３２２〜３２６は一般に、印刷基体３１２上のそれらの存在が印刷製品の本質的な印刷品質に影響を及ぼさないほど十分に小さい。対照的に、時間が経つにつれてインクジェットプリンタの幾つかの部品上にインク粒子が蓄積することは、本質的な印刷品質に影響を及ぼす可能性がある。更に、エーロゾル粒子を捕捉するために正および負のイオンの双方を使用することにより、例示的なインクジェットプリンタ３００は、印刷基体３１２上のインク滴の意図された目的地の方へのインク滴の飛翔軌道に妨害を与えることによって印刷品質に影響を与える可能性がある、印刷基体３１２上の電荷のレベルの増加を回避する。
【００２６】
幾つかの例において、インクエーロゾル低減装置３１０は、図面の平面に垂直な方向に進むインクエーロゾル粒子を用紙の方へ付勢するためのイオンを生成するように配置された追加のコロナワイヤと組み合わせて使用される。係るコロナワイヤは、印刷基体の進む方向において印刷基体３１２と共に引き寄せられる（例えば、空気抵抗に起因して）インクエーロゾル粒子を捕捉するために、印刷基体の進む方向（例えば、プリントヘッド３０２〜３０８の進む方向（単数または複数）３４６、３４８とは異なる）にプリントヘッド３０２〜３０８の後に配置され得る又は位置することができる。この目的のために使用され得る例示的なコロナワイヤが図１２において以下で説明される。幾つかの他の例において、コロナワイヤ３３２及び３３４がプリントヘッド３０２〜３０８の回りに配置される（例えば、取り囲む、包囲する）。係る例示的なプリンタにおいて、コロナワイヤ３３２及び３３４は、プリントヘッド３０２〜３０８上に及び／又はインクジェットプリンタ３００の他の部分にインクエーロゾル粒子が蓄積することを低減または防止する。
【００２７】
図７は、図３の例示的なインクエーロゾル低減装置３１０と既知のインクエーロゾル管理システムのテスト結果７００を示す。テスト結果７００が生成された既知のインクエーロゾル管理システムは、周囲空気および周囲空気中に漂っているあらゆるインクエーロゾル粒子を捕捉（収集）するために真空を使用する。
【００２８】
例示的なテスト結果７００は、負のコロナハウジング３３８の外側のテスト位置７０２にそれぞれ配置されたエーロゾル捕捉切り取り試片（例えば、用紙のようなテスト印刷基体）を使用した。第１のテスト結果７０４（例えば、コロナオン）は、例示的なインクエーロゾル低減装置３１０が動作している際にテスト位置７０２に到達したインクエーロゾル粒子およびインクエーロゾル粒子がエーロゾル捕捉切り取り試片により捕捉されたことを示す。第２のテスト結果７０６（例えば、コロナオフ）は、既知のインクエーロゾル管理システムが動作している際にテスト位置７０２に到達したインクエーロゾル粒子およびインクエーロゾル粒子がエーロゾル捕捉切り取り試片により捕捉されたことを示す。図７に示されるように、インクジェットプリンタの負のコロナハウジング３３８の外側に蓄積するインクエーロゾルの量は、既知のインクエーロゾル管理システムが使用された場合に比べて、例示的なインクエーロゾル低減装置が使用された場合の方が大幅に少なかった。
【００２９】
図８は、インクエーロゾル低減装置８０２を含む別の例示的なインクジェットプリンタ８００の略図である。例示的なインクジェットプリンタ８００は、インク滴３１４〜３２０を印刷基体３１２に付着するための例示的なプリントヘッド３０２〜３０８を含む。更に、例示的なプリントヘッド３０２〜３０８は不要なインクエーロゾル粒子３２２〜３２６を生成する。
【００３０】
例示的なインクエーロゾル低減装置８０２は、第１及び第２のコロナワイヤ８０４及び８０６、並びに第１及び第２のコロナハウジング８０８及び８１０を含む。異なるコロナワイヤ３３２及び３３４から異なる極性を有するイオンを放出する図３の例示的なインクエーロゾル低減装置３１０とは対照的に、例示的なインクエーロゾル低減装置８０２は、コロナワイヤ８０４及び８０６の双方から同じ極性を有する（例えば、正イオン又は負イオンの何れか）イオン８１２及び８１４を放出する。図３の例示的なインクエーロゾル低減装置３１０が印刷基体３１２上の電荷を有利に低減するが、図８に示された例示的なインクエーロゾル低減装置８０２は有利には、比較的導電性の印刷基体３１２と共に使用されることができ、及び／又は電荷の中和が比較的重要でない応用形態で使用され得る。例示的なインクエーロゾル低減装置８０２は、図３の例示的なインクエーロゾル低減装置３１０に比べて実現するのに安価にすることができるが、より大きな電荷を印刷基体３１２上に蓄積させ、幾つかの応用形態において印刷品質に悪影響を与えるかもしれない。
【００３１】
図９は、インクエーロゾル低減装置９０２を含む別の例示的なインクジェットプリンタ９００の略図である。例示的なインクジェットプリンタ９００は、印刷基体３１２にインク滴３１４〜３２０を付着するための例示的なプリントヘッド３０２〜３０８を含む。更に、例示的なプリントヘッド３０２〜３０８は不要なインクエーロゾル粒子３２２〜３２６を生成する。
【００３２】
例示的なインクエーロゾル低減装置９０２は、４本のコロナワイヤ９０４、９０６、９０８及び９１０、並びに対応するコロナハウジング９１２、９１４、９１６及び９１８を含む。コロナワイヤ９０４及び９０６は、例示的な移動の第１の方向３４６においてプリントヘッド３０２〜３０８の背後に位置し、且つ例示的な移動の第２の方向３４８においてプリントヘッド３０２〜３０８の前方に位置する。逆に、コロナワイヤ９０８及び９１０は、例示的な移動の第１の方向３４６においてプリントヘッド３０２〜３０８の前方に位置し、且つ例示的な移動の第２の方向３４８においてプリントヘッド３０２〜３０８の背後に位置する。
【００３３】
例示的なコロナワイヤ９０４及び９１０は、正イオン９２０及び９２２を生成するが、例示的なコロナワイヤ９０６及び９０８は負イオン９２４及び９２６を生成する。正および負の双方のイオン９２０〜９２６は、インクエーロゾル粒子３２２〜３２６を印刷基体３１２の方へ付勢する。しかしながら、図３のインクエーロゾル低減装置３１０とは対照的に、例示的なインクエーロゾル低減装置９０２は、正および負のイオンがプリントヘッド３０２〜３０８の前後に存在するので、印刷基体３１２上に電荷を残さない、及び／又は印刷区域（例えば、インクペン３０２〜３０８がインク滴３１４〜３２０を向かわせる印刷基体の領域）に隣接した印刷基体３１２上により少ない電荷を残す。この低減された帯電効果が達成されると同時に、例示的なプリンタ９００上に固まるインクエーロゾルの量を依然として低減する。例示的なインクエーロゾル低減装置９０２は有利には、比較的非導電性の印刷基体３１２と共に使用されることができ、及び／又は印刷基体３１２上に存在している電荷に非常に影響されやすい応用形態で使用され得る。例示的なインクエーロゾル低減装置９０２は、追加のコロナワイヤ９０８及び９１０に起因して実現するのによりコストがかかる可能性があるが、図３及び図８の例示的なインクエーロゾル低減装置３１０又は８０２に比べてより高い品質の印刷という結果になることができる。
【００３４】
図１０Ａ及び図１０Ｂは、インクエーロゾル低減装置１００２を含む別の例示的なインクジェットプリンタ１０００の略図である。例示的なインクジェットプリンタ１０００は、インク滴３１４〜３２０を印刷基体３１２に付着するための例示的なプリントヘッド３０２〜３０８を含む。更に、例示的なプリントヘッド３０２〜３０８は不要なインクエーロゾル粒子３２２〜３２６を生成する。図１０Ａの例示された例において、例示的なインクジェットプリンタ１０００は、プリントヘッド３０２〜３０８がインク滴３１４〜３２０を印刷基体３１２に対して生成する際に第１の方向３４６に移動する。しかしながら、図１０Ｂにおいて、例示的なインクジェットプリンタ１０００は、第１の方向とは反対の第２の方向３４８に移動する。
【００３５】
例示的なインクエーロゾル低減装置１００２は、第１及び第２のコロナワイヤ１００４及び１００６、並びに第１及び第２のコロナハウジング１００８及び１０１０を含む。図８の例示的なインクエーロゾル低減装置８０２と同様に、例示的なインクエーロゾル低減装置１００２は、コロナワイヤ１００４及び１００６の双方から同じ極性を有するイオン１０１２及び１０１４（例えば、正イオン又は負イオンの何れか）を放出する。しかしながら、図８の例示的なインクエーロゾル低減装置８０２とは異なり、例示的なインクエーロゾル低減装置１００２は、コロナワイヤ１００４及び１００６の極性を変更する。例示された例において、コロナワイヤ１００４及び１００６は、プリンタ１０００が第１の方向３４６に移動している際に正イオン１０１２及び１０１４を放出する。しかしながら、コロナワイヤ１００４及び１００６は、プリンタ１０００が第２の方向３４８に移動している際に負イオン１０１６及び１０１８を放出する。かくして、図１０Ａ及び図１０Ｂの例示的なインクエーロゾル低減装置１００２を有利に使用して印刷基体３１２上の電荷を低減することができる。例示的なインクエーロゾル低減装置１００２は、図８の例示的なインクエーロゾル低減装置８０２に比べて実現するのにより高価となる可能性があるが、印刷基体３１２上での電荷の蓄積を低減する。
【００３６】
図１１は、インクエーロゾル低減装置１１０２を含む別の例示的なインクジェットプリンタ１１００の略図である。例示的なインクジェットプリンタ１１００は、インク滴３１４〜３２０を印刷基体３１２に付着するための例示的なプリントヘッド３０２〜３０８を含む。更に、例示的なプリントヘッド３０２〜３０８は不要なインクエーロゾル粒子３２２〜３２６を生成する。
【００３７】
図９の例示的なインクエーロゾル低減装置９０２と同様に、例示的なインクエーロゾル低減装置１１０２は、４本のコロナワイヤ１１０４、１１０６、１１０８及び１１１０、並びに対応するコロナハウジング１１１２、１１１４、１１１６及び１１１８を含む。コロナワイヤ１１０４及び１１０６は、例示的な移動の第１の方向３４６においてプリントヘッド３０２〜３０８の背後に位置し、且つ例示的な移動の第２の方向３４８においてプリントヘッド３０２〜３０８の前方に位置する。逆に、コロナワイヤ１１０８及び１１１０は、例示的な移動の第１の方向３４６においてプリントヘッド３０２〜３０８の前方に位置し、且つ例示的な移動の第２の方向３４８においてプリントヘッド３０２〜３０８の背後に位置する。
【００３８】
図１１の例において、直流（ＤＣ）信号が内側のコロナ１１０６及び１１０８に印加され、交流（ＡＣ）信号が外側のコロナ１１０４及び１１１０に印加される。幾つかの他の例において、ＤＣ信号が外側のコロナ１１０４及び１１１０に又は外側のコロナ１１０４及び１１１０の一方に及び内側のコロナ１１０６及び１１０８の一方に印加され得るが、ＡＣ信号は内側のコロナ１１０６及び１１０８に又は外側のコロナ１１０４及び１１１０の一方に及び内側のコロナ１１０６及び１１０８の一方に印加され得る。
【００３９】
例示された例において、内側のコロナ１１０６及び１１０８（ＤＣ信号が印加された）は、正イオン１１２０及び１１２２を生成してインクエーロゾルを印刷基体３１２の方へ付勢する。外側のコロナ１１０４及び１１１０（ＡＣ信号が印加された）は、正イオン１１２４及び１１２６並びに負イオン１１２８及び１１３０を交互に生成して、インクエーロゾルを印刷基体３１２の方へ付勢し、且つ印刷基体３１２上での電荷の蓄積を低減または排除する。従って、内側のコロナ１１０６及び１１０８は、インクエーロゾルを閉じ込め、外側のコロナ１１０４及び１１１０は内側のコロナ１１０６及び１１０８により生じるかもしれない基体３１２上での電荷の蓄積を低減する。図１１の例において、ＡＣ信号が印加されたコロナ１１０４及び１１１０は、移動の第１及び第２の方向３４６及び３４８のそれぞれにおいて、後を追うコロナである。かくして、コロナ１１０４及び１１１０の一方は、内側のコロナ１１０６及び１１０８の双方が電荷を印加した後に印刷基体３１２上の電荷を低減または取り除く。
【００４０】
ＡＣ信号が交番する周波数は、プリントヘッド３０２〜３０８の走査速度、印刷の態様、及び／又は任意の他の因子に基づくことができる。更に、周波数は、一定とすることができる、及び／又は変動してもよい。例示的なインクエーロゾル低減装置１１０２は、ＤＣ信号およびＡＣ信号を実現するために追加の及び／又はより複雑な電源に起因して実現するのに、よりコストがかかる可能性があるが、図３及び図９の例示的なインクエーロゾル低減装置３１０又は９０２に比べてより高い品質の印刷という結果になることができる。
【００４１】
図１２は、例示的なコロナバー１２００の破断図を示す。例示的なコロナバー１２００は、図１、図３、図６Ａ〜図６Ｃ、図８、図９、図１０Ａ、図１０Ｂ及び図１１の例示的なコロナワイヤ１０８、１１０、３３２、３３４、８０４、８０６、９０６〜９１０、１００４、１００６及び１１０４〜１１１０の何れかを実現するために使用され得る。上述されたように、コロナワイヤ１２０２は電源に結合され、それによりコロナワイヤ１２０２が印刷基体（例えば、図１の印刷基体１０４）の方へ進む正および／または負のイオンを生成してエーロゾルを印刷基体１０４の方へ付勢する。
【００４２】
例示的なコロナバー１２００は、コロナバー１２００のハウジング１２０４の開いた面１２１２内にほぼ中央に配置されたコロナワイヤ１２０２を含む。図１２に示されるように、例示的なハウジング１２０４は、３つの面１２０６、１２０８及び１２１０又は壁、及び開いた面１２１２を含む。壁１２０６、１２０８及び１２１０は、キャビティ１２１４を画定し、例示的なコロナワイヤ１２０２がハウジング１２０４の長さに実質的に延びる。
【００４３】
例示的なコロナワイヤ１２０２は、印刷基体１０４及び／又はプリントヘッド（単数または複数）１０２を横切る全距離に実質的に及ぶ。例示されたコロナバー１２００は更に、コロナワイヤ１２０２に物理的に接触し且つ壁１２０８に固定された支持体１２１６及び１２１８を含む。支持体１２１６及び１２１８は、コロナワイヤ１２０２が比較的長い距離に広がる応用形態においてコロナワイヤ１２０２が振動することを防止する。使用される支持体の数は、コロナワイヤ１２０２の長さに基づくことができる。幾つかの例において、１つ又は複数の支持体１２１６及び１２１８は、コロナワイヤ１２０２に接触するが支持しないダンパーに置き換えられ得る及び／又は当該ダンパーにより補完され得る。支持体は、支持体１２０６及び１２１８に接触するコロナワイヤ１２０２に沿った点におけるデッドゾーンの導入に起因して、コロナワイヤ１２０２の有効性を増分的に低減する。コロナワイヤ１２０２が十分に短い場合、コロナバー１２００は支持体１２１６及び１２１８を省略してもよい。
【００４４】
図１３は、図１２の例示的なコロナバー１２００の破断図である。図１３の例示された図において、コロナワイヤ１２０２、壁１２０６、１２０８及び１２１０、並びに支持体１２１６を見ることができる。支持体１２１８は支持体１２１６により隠れている。例示的な支持体１２１６及び１２１８は細いが、依然としてコロナワイヤ１２０２を支持し及び／又はコロナワイヤ１２０２が振動することを防止することができる。コロナワイヤ１２０２は、支持体１２１６及び１２１８と接触するコロナワイヤ１２０２の部分を通じてイオンを生成せず、かくしてデッドゾーンが結果として生じる可能性がある。従って、支持体１２１６及び１２１８と接触するコロナワイヤ１２０２のこれらの部分は、コロナワイヤ１２０２の係る部分と接地平面１２２０との間の領域においてエーロゾルを捕捉することに寄与しない。しかしながら、エーロゾルが実質的に可動性であるので、支持体１２１６及び１２１８に水平方向に隣接するコロナワイヤ１２０２の部分からのイオンが、小さいデッドゾーンを通過するエーロゾルの大部分を捕捉することができる。
【００４５】
上述された例示的なコロナワイヤ１０８、１１０、３３２、３３４、８０４、８０６、９０６〜９１０、１００４、１００６、及び１１０４〜１１１０を実現するために使用され得るコロナワイヤの更なる詳細および例は、２０１０年３月４日に出願された米国特許出願第１２／７１７，７８０号に見出されることができ、係る特許出願の全体は、参照により本明細書に組み込まれる。
【００４６】
上述された例はインクジェットプリンタに関係するが、当該例は、液体電子写真プリンタ及び／又はレーザプリンタのような他のタイプのプリンタに適用され得る。幾つかの例示的な構成は、上述されて図面に示された。しかしながら、当該例の異なる態様は、当該例の異なる利益を利用する及び／又は特定の応用形態を満たすために多くの異なる方法で組み合わされ得る。
【００４７】
上記の内容から、上記に開示されたプリンタ及びインクエーロゾル低減装置が、印刷品質に悪影響を及ぼす可能性がある、インクジェットプリンタにおけるインクの蓄積を低減することを理解するであろう。更に、例示的なインクエーロゾル低減装置は、複数の移動方向を有し、それ故に複数のプリンタの移動によって生じた空気流を変更することによりインクエーロゾルが複数の方向に運ばれる、走査型インクジェットプリンタと共に使用される。上述された例示的なプリンタ、方法、及び装置は、比較的低コストで実現され得る及び／又はプリンタに後付けされ得る。更に、例示的なプリンタ、方法、及び装置は、所望のインク滴の移動経路を妨害することなくインクエーロゾルを捕獲することができ、かくして印刷品質に悪影響を及ぼさない。
【００４８】
特定のプリンタ及び装置が本明細書で説明されたが、本発明の保護範囲はそれに限定されない。それとは反対に、本発明は、文字通りに又は等価物の原則の下で、添付の特許請求の範囲の範囲内に公正に入る全ての方法、装置、及び製品を網羅する。
【図１】
2013544679.tif 000002
【図２】
2013544679.tif 000003
【図３】
2013544679.tif 000004
【図４】
2013544679.tif 000005
【図５】
2013544679.tif 000006
【図６Ａ】
2013544679.tif 000007
【図６Ｂ】
2013544679.tif 000008
【図６Ｃ】
2013544679.tif 000009
【図７】
2013544679.tif 000010
【図８】
2013544679.tif 000011
【図９】
2013544679.tif 000012
【図１０Ａ】
2013544679.tif 000013
【図１０Ｂ】
2013544679.tif 000014
【図１１】
2013544679.tif 000015
【図１２】
2013544679.tif 000016
【図１３】
2013544679.tif 000017
【国際調査報告】
2013544679.tif 000018
2013544679.tif 000019